(57)【要約】【課題】部品交換を行わずに、様々な使用者に応じて部品の位置を可変させてカメラボディの把持性を向上させることが可能なデジタルカメラ及びレンズユニットを提供する。【解決手段】デジタルカメラ２は、カメラボディ１０、レンズユニット３５及びレンズ取り付けベース６０から構成される。レンズ取り付けベース６０は、ベース本体２８と、その背面に設けられたスライド部６１と、係合部３０とから構成され、スライド部６１は上面にラックギヤ６４が一体成形され、カメラボディ１０の前面に形成された開口１１を通してカメラボディ１０の内部に位置している。ラックギヤ６４は、カメラボディ１０の内部上方に設けられたモータ６３に取り付けられたギヤ６２と噛み合っている。レンズ取り付けベース６０はモータ６３が駆動することでカメラボディ１０の左右方向にスライド移動できるようになっている。【選択図】図６
2007199631.tif 000002
【特許請求の範囲】
【請求項１】
撮影レンズ及び撮像素子を内蔵するレンズユニットと、このレンズユニットと結合するカメラボディとからなるデジタルカメラにおいて、
前記カメラボディに設けられ、前記レンズユニットが結合されるカメラボディ側結合部を有したレンズ取り付けベースは、前記カメラボディ側結合部に前記レンズユニットが取り付けられたときにおける前記撮影レンズの光軸方向と略直交する方向に沿って、前記カメラボディに対してスライド自在であることを特徴とするデジタルカメラ。
【請求項２】
前記カメラボディは、前記レンズ取り付けベースをスライド移動させる移動機構と、この移動機構の駆動源となる駆動手段と、外部からの入力操作を検知して操作信号を出力する操作部と、前記操作部からの操作信号を受けたときに前記駆動手段の駆動を制御して前記レンズ取り付けベースのスライド移動を行わせる制御手段とを備えたことを特徴とする請求項１記載のデジタルカメラ。
【請求項３】
前記カメラボディは、前記レンズ取り付けベースのスライド方向に沿って配設された複数の凹部を有し、前記レンズ取り付けベースに形成された凸部が前記凹部に嵌合することで前記レンズ取り付けベースのスライド移動が複数の位置で固定されることを特徴とする請求項１記載のデジタルカメラ。
【請求項４】
カメラボディに着脱自在であり、且つ撮影レンズ及び撮像素子を内蔵するレンズユニットにおいて、
前記撮影レンズ及び前記撮像素子を保持するレンズ鏡胴と、前記カメラボディに装着され、且つ前記撮影レンズの光軸方向と略直交する方向に沿って、前記レンズ鏡胴を移動自在に支持するレンズ側結合部材とからなることを特徴とするレンズユニット。
【請求項５】
前記レンズ鏡胴を前記レンズ側結合部材に対してスライド移動させる移動機構と、この移動機構の駆動源となる駆動手段とを備えたことを特徴とする請求項４記載のレンズユニット。
【請求項６】
前記レンズ側結合部材は、ネジ部材を挿通させる長孔が形成され、前記レンズ鏡胴は、前記長孔と対面する位置にネジ孔を有しており、前記長孔を挿通させたネジ部材の位置を前記長孔の中でスライドさせることによって前記レンズ鏡胴に対する前記レンズ側結合部材の相対位置を変えた後、前記ネジ部材を前記ネジ孔に螺合させて前記レンズ側結合部材を前記レンズ鏡胴にネジ止め固定することを特徴とする請求項４記載のレンズユニット。
【請求項７】
前記レンズ側結合部材は、ネジ部材を挿通させる十字形状の貫通孔が形成され、前記レンズ鏡胴は、前記貫通孔と対面する位置にネジ孔を有しており、前記貫通孔を挿通させたネジ部材の位置を前記貫通孔の中でスライドさせることによって前記レンズ鏡胴に対する前記レンズ側結合部材の相対位置を変えた後、前記ネジ部材を前記ネジ孔に螺合させて前記レンズ側結合部材を前記レンズ鏡胴にネジ止め固定することを特徴とする請求項４記載のレンズユニット。
【請求項８】
請求項４ないし請求項７記載のレンズユニットと、前記レンズユニットと結合するカメラボディとからなるデジタルカメラ。
【発明の詳細な説明】
【技術分野】
【０００１】
本発明は、デジタルカメラ及びレンズユニットに関する。
【背景技術】
【０００２】
デジタルカメラは、人間工学に基づき各種部品の位置や形状などに工夫がなされており、使い易いものとなってきているが、デジタルカメラの使用者は、子供や大人、あるいは男性及び女性と様々であり、例えば、撮影時に把持する場合に理想的なレンズ鏡胴の位置や、グリップの位置及び形状などでは、子供と大人とでは全く異なっている。よって、各種部品の位置や形状などに工夫を凝らしても、万人に適正なものとすることは非常に困難であり、様々な使用者にとって不都合がない程度の使い易さに留まっていることが多い。
【０００３】
そこで、様々な使用者にとってより使い易いものとするため、各種部品の位置や形状などが柔軟に変化して使用者毎に適正な位置及び形状を得る構成とすることが検討されており、例えば特許文献１記載のデジタルカメラでは、男性、女性及び子供など様々な使用者に応じて設定されたグリップをカメラボディに対して着脱可能としており、このグリップを交換することで、使用者毎に把持しやすい形状を得るようにしている。
【０００４】
一方、使用者毎に部品の位置を変化させることのできる構成としては、例えば特許文献２に記載されているように、レンズが光軸方向に沿って可変するレンズの取り付け機構が知られている。このレンズの取り付け機構を用いたデジタルカメラによれば、外部に設けられたネジを調整することで、レンズを光軸方向に容易に移動させることができる。
【特許文献１】特開２００４−３４３２０６号公報
【特許文献２】特開平１１−２３１１９３号公報
【発明の開示】
【発明が解決しようとする課題】
【０００５】
しかしながら、特許文献１のデジタルカメラは、取替え用のグリップが別途必要になり、取替え用部品の保存管理に問題が残る。また、特許文献２のレンズの取り付け機構を用いたデジタルカメラは、内部構造を可変式とすることで撮影精度の向上を図ったものであり、外観上の変化は考慮されていないので使用者毎に使い易い部品の位置や形状を得ることはできない。
【０００６】
本発明は、上記課題を解決するためのものであり、部品交換を行わずに、様々な使用者に応じて部品の位置を可変させてカメラボディの把持性を向上させることが可能なデジタルカメラ及びレンズユニットを提供する。
【課題を解決するための手段】
【０００７】
上記目的を達成するために、本発明のデジタルカメラは、撮影レンズ及び撮像素子を内蔵するレンズユニットと、このレンズユニットと結合するカメラボディとからなるデジタルカメラであって、カメラボディに設けられ、レンズユニットが結合されるカメラボディ側結合部材を有したレンズ取り付けベースは、カメラボディ側結合部にレンズユニットが取り付けられたときにおける撮影レンズの光軸方向と略直交する方向に沿って、カメラボディに対してスライド自在であることを特徴とする。
【０００８】
なお、カメラボディは、レンズ取り付けベースをスライド移動させる移動機構と、この移動機構の駆動源となる駆動手段と、外部からの入力操作を検知して操作信号を出力する操作部と、操作部からの操作信号を受けたときに駆動手段の駆動を制御してレンズ取り付けベースのスライド移動を行わせる制御手段とを備えていることが好ましい。
【０００９】
または、カメラボディは、レンズ取り付けベースのスライド方向に沿って配設された複数の凹部を有し、レンズ取り付けベースに形成された凸部が凹部に嵌合することでレンズ取り付けベースのスライド移動が複数の位置で固定されることが好ましい。
【００１０】
本発明のレンズユニットは、カメラボディに着脱自在であり、且つ撮影レンズ及び撮像素子を内蔵するレンズユニットであって、撮影レンズ及び撮像素子を保持するレンズ鏡胴と、カメラボディに装着され、且つ撮影レンズの光軸方向と略直交する方向に沿って、レンズ鏡胴を移動自在に支持するレンズ側結合部材とからなることを特徴とする。
【００１１】
なお、レンズユニットは、レンズ鏡胴をレンズ側結合部材に対してスライド移動させる移動機構と、この移動機構の駆動源となる駆動手段とを備えていることが好ましい。
【００１２】
または、レンズ側結合部材は、ネジ部材を挿通させる長孔が形成され、レンズ鏡胴は、長孔と対面する位置にネジ孔を有しており、長孔を挿通させたネジ部材の位置を長孔の中でスライドさせることによってレンズ鏡胴に対するレンズ側結合部材の相対位置を変えた後、ネジ部材をネジ孔に螺合させてレンズ側結合部材をレンズ鏡胴にネジ止め固定することが好ましい。
【００１３】
または、レンズ側結合部材は、ネジ部材を挿通させる十字形状の貫通孔が形成され、レンズ鏡胴は、貫通孔と対面する位置にネジ孔を有しており、貫通孔を挿通させたネジ部材の位置を貫通孔の中でスライドさせることによってレンズ鏡胴に対するレンズ側結合部材の相対位置を変えた後、ネジ部材をネジ孔に螺合させてレンズ側結合部材をレンズ鏡胴にネジ止め固定することが好ましい。
【発明の効果】
【００１４】
本発明のデジタルカメラによれば、カメラボディに設けられ、レンズユニットが結合されるカメラボディ側結合部を有したレンズ取り付けベースは、カメラボディ側結合部にレンズユニットが取り付けられたときにおける撮影レンズの光軸方向と略直交する方向に沿って、カメラボディに対してスライド自在であることより、レンズユニットを様々な使用者に応じた位置に移動させることができるので、カメラボディの把持性が向上する。
【００１５】
また、カメラボディは、レンズ取り付けベースをスライド移動させる移動機構と、この移動機構の駆動源となる駆動手段と、外部からの入力操作を検知して操作信号を出力する操作部と、操作部からの操作信号を受けたときに駆動手段の駆動を制御してレンズ取り付けベースのスライド移動を行わせる制御手段とを備えているので、レンズユニットを容易に移動させることができる。
【００１６】
または、カメラボディは、レンズ取り付けベースのスライド方向に沿って配設された複数の凹部を有し、レンズ取り付けベースに形成された凸部が凹部に嵌合することでレンズ取り付けベースのスライド移動が複数の位置で固定されるので、レンズユニットを希望通りの位置へ確実に移動させることができる。
【００１７】
本発明のレンズユニットによれば、撮影レンズ及び撮像素子を保持するレンズ鏡胴と、カメラボディに装着され、且つ撮影レンズの光軸方向と略直交する方向に沿って、レンズ鏡胴を移動自在に支持するレンズ側結合部材とからなるので、カメラボディの構造及びデザインに限定されることなく撮影レンズの位置を調整できる。
【００１８】
また、レンズユニットは、レンズ鏡胴をレンズ側結合部材に対してスライド移動させる移動機構と、この移動機構の駆動源となる駆動手段とを備えているので、撮影レンズを容易に移動させることができる。
【００１９】
または、レンズ側結合部材は、ネジ部材を挿通させる長孔が形成され、レンズ鏡胴は、長孔と対面する位置にネジ孔を有しており、長孔を挿通させたネジ部材の位置を長孔の中でスライドさせることによってレンズ鏡胴に対するレンズ側結合部材の相対位置を変えた後、ネジ部材をネジ孔に螺合させてレンズ側結合部材をレンズ鏡胴にネジ止め固定するので、レンズユニットの構造は簡単になる。
【００２０】
または、レンズ側結合部材は、ネジ部材を挿通させる十字形状の貫通孔が形成され、レンズ鏡胴は、貫通孔と対面する位置にネジ孔を有しており、貫通孔を挿通させたネジ部材の位置を貫通孔の中でスライドさせることによってレンズ鏡胴に対するレンズ側結合部材の相対位置を変えた後、ネジ部材をネジ孔に螺合させてレンズ側結合部材をレンズ鏡胴にネジ止め固定するので、レンズユニットの構造は簡単になる。
【発明を実施するための最良の形態】
【００２１】
以下、本発明の第１実施形態を適用したデジタルカメラ１について図面を参照しながら説明する。図１（ａ）、図１（ｂ）、図２、図３及び図４に示すように、デジタルカメラ１は、カメラボディ１０、レンズ取り付けベース２０及びレンズユニット３５から構成される。カメラボディ１０の前面には、開口１１が形成されている。矩形状の開口１１は、その上下の端縁がカメラボディ１０の左右方向に沿って延びるスライド面１１ａ、１１ｂとなっている。レンズ取り付けベース２０は、ベース本体２８と、その背面に設けられたスライド部２９と、係合部３０とから構成される。係合部３０は、矩形状のベース本体２８の四隅付近で、開口１１のスライド面１１ａ、１１ｂに位置を合わせて設けられている。係合部３０の先端には被係止爪３０ａが一体に形成されている。カメラボディ１０の上面にはシャッタボタン１４が設けられ、カメラボディ１０の背面には十字キー１５及びＬＣＤ１６が設けられている。また、カメラボディ１０の前面にはストロボ１７が設けられている。
【００２２】
レンズ取り付けベース２０は、スライド部２９が開口１１を通してカメラボディ１０の内部に位置し、被係止爪３０ａがカメラボディ１０の内壁面１０ａに係止されるとともに、係合部３０が開口１１のスライド面１１ａ、１１ｂに当接するようにして、カメラボディ１０に爪結合される。これによって、レンズ取り付けベース２０は、カメラボディ１０に対して左右方向（Ｘ方向）にスライド自在となっている。
【００２３】
カメラボディ１０の内部上面には、台座１２が設けられ、台座１２の下面には、凹凸面１３ａを下方に向けたクリック部材１３が取り付けられている。凹凸面１３ａは凸となる凸部１３ｂと凹となる凹部１３ｃとを有する。このクリック部材１３は、柔軟性のある材質で形成されており、押圧することで弾性的に変形する。レンズ取り付けベース２０は、スライド部２９の上面に突起部３１が一体成形され、突起部３１がクリック部材１３の凹部１３ｃに嵌合することで移動が固定されている。レンズ取り付けベース２０をＸ方向にスライド移動させると、突起部３１がクリック部材１３の凸部１３ｂを押圧することで弾性的に変形させ、凸部１３ｂを乗り越えて隣の凹部１３ｃと噛み合う。これを繰り返すことによりレンズ取り付けベース２０はＸ方向の複数の位置で固定される。
【００２４】
レンズユニット３５は、レンズ鏡胴３６に撮影レンズ４０及びＣＣＤ（撮像素子）４１を内蔵する構成となっている。レンズユニット３５の背面に設けられたレンズ側マウント部３７には、バヨネット爪３８が形成されている。このバヨネット爪３８には接続端子３８ａが設けられている。レンズ取り付けベース２０の前面に設けられたカメラボディ側マウント部２１には、バヨネット溝２２が形成されている。レンズユニット３５をレンズ取り付けベース２０に装着する際には、バヨネット爪３８をバヨネット溝２２に合わせた状態で押し込んでから光軸を中心に回転させる。バヨネット爪３８の位置決め突起３９がレンズ取り付けベース２０の前面に設けられたバヨネット爪２３と当たる位置でレンズユニット３５の位置が決まる。この時、カメラボディ側マウント部２１のロックピン２５がレンズ側マウント部３７のピン穴（図示せず）と係合し、レンズユニット３５は固定される。また、レンズユニット３５の位置決めに伴って、レンズユニット３５の接続端子３８ａがレンズ取り付けベース２０の接続端子２６（図５参照）に接続される。なお、カメラボディ側マウント部２１には、カメラボディ１０の前方向に付勢されたマウント蓋２４が設けられており、レンズユニット非装着時にカメラボディ１０内部に塵埃が侵入しないようになっている。
【００２５】
カメラボディ側マウント部２１には、ロックピン２５と連動するロック解除ボタン２７が設けられている。ロック解除ボタン２７は、レンズユニット３５を取り外す際に操作されるものであり、押圧することでロックピン２５を後方向に移動させてロックを解除することができる。
【００２６】
デジタルカメラ１の電気的構成を示すブロック図を図５に示す。撮影レンズ４０の後方には、ＣＣＤ４１が配置されている。ＣＣＤ４１は、ＣＣＤドライバ４２に接続されており、ＣＣＤドライバ４２を介してレンズユニット用システム制御部４３によって駆動を制御される。ＣＣＤ４１は、光学的な被写体画像を電気的な撮像信号に変換して出力する。撮像信号はアンプ（ＡＭＰ）４４で適当なレベルに増幅された後、Ａ／Ｄ変換器４５によってデジタル変換されて画像データとなる。この画像データは、シリアルドライバ４６を介してカメラボディ１０側へと送信される。レンズユニット用システム制御部４３では、カメラ本体用システム制御部５０からの指令に基づいてレンズユニット３５側の撮影処理を管制している。
【００２７】
レンズユニット３５からの画像データは、シリアルドライバ５１を介してメモリ５２に書き込まれる。信号処理部５３は、メモリ５２から画像データを読み出し、階調変換、ホワイトバランス補正、γ補正等の各種画像処理を施す。画像処理が施された画像データはＬＣＤドライバ５４へ入力され、ＬＣＤ１６に画像として表示される。撮影された画像はＬＣＤ１６にスルー画として表示される。
【００２８】
シャッタボタン１４が押圧操作されたときには、メディアコントローラ５５の制御によって、画像処理が施された画像データが記録メディア５６に記録される。また、シャッタボタン１４が押圧操作されると、撮影環境からの光量に応じてストロボ１７が駆動される。カメラ本体用システム制御部５０は、レンズユニット用システム制御部４３に指令を送るとともに、カメラボディ１０側の撮影処理、画像表示処理、記録処理等を管制している。カメラ本体用システム制御部５０には、シャッタボタン１４及び十字キー１５が接続されている。
【００２９】
また、カメラボディ１０にはバッテリ５７が配置され、カメラボディ１０の各部に電力を供給している。さらにまた、接続端子２６及び４６ａを介してバッテリ５７からレンズユニット３５の各部に電力が供給されている。
【００３０】
以下に、上記構成のデジタルカメラ１の作用について説明する。デジタルカメラ１によって撮影を行うときには、先ず、レンズユニット３５をカメラボディ１０の前面に設けられたレンズ取り付けベース２０に装着し、レンズユニット３５とカメラボディ１０とを電気的に接続する。これにより、レンズユニット３５とカメラボディ１０との間で電気信号の送受信及び電源の供給が可能となり、デジタルカメラ１は撮影が可能な状態となる。
【００３１】
レンズユニット３５を装着状態にして、レンズ取り付けベース２０とともにカメラボディ１０に対してＸ方向にスライドさせると、レンズ取り付けベース２０のスライド部２９に一体成形された突起部３１は、カメラボディ１０の内部に取り付けられたクリック部材１３の複数の凹部１３ｃに嵌合し、レンズ取り付けベース２０は複数の位置に固定される。これにより、レンズユニット３５の位置をＸ方向に調整することができるので、カメラボディ１０を持ち易くすることができる。
【００３２】
なお、上記実施形態において、レンズユニット３５の位置は、Ｘ方向に調整できる場合を例に説明したが、Ｘ方向を限定するものではなく、例えば、カメラボディ１０の上下方向（Ｙ方向）に調整できるようにしても良い。
【００３３】
なお、上記第１実施形態のデジタルカメラ１においては、マニュアル操作によってレンズユニット３５の位置をＸ方向に調整する構造であるが、本発明は、これに限るものではない。以下、本発明の第２実施形態を適用したデジタルカメラ２について図面を参照しながら説明する。デジタルカメラ２は、図６に示すように、カメラボディ１０、レンズ取り付けベース６０及びレンズユニット３５から構成される。レンズ取り付けベース６０は、ベース本体２８と、その背面に設けられたスライド部６１と、係合部３０とから構成され、スライド部６１が開口１１を通してカメラボディ１０の内部に位置している。
【００３４】
カメラボディ１０の内部上方には、ギヤ６２が取り付けられたモータ（駆動手段）６３が設けられている。レンズ取り付けベース６０は、スライド部６１の上面にラックギヤ（移動機構）６４が一体成形され、ラックギヤ６４がギヤ６２と噛み合うことで、モータ６３の駆動によりカメラボディ１０の左右方向（Ｘ方向）にスライド移動できるようになっている。なお、その他の構成は、デジタルカメラ１と同様であり、同じ部品については同一の符号を付して説明を省略する。
【００３５】
デジタルカメラ２の電気的構成を示すブロック図を図７に示す。モータ６３は、ドライバ６５に接続されており、ドライバ６５を介してカメラ本体用システム制御部（制御部）５０によって駆動が制御されている。カメラ本体用システム制御部５０は、十字キー（操作部）１５の押圧操作によって出力される操作信号によってモータ６３の回転駆動を制御している。なお、その他の構成は、デジタルカメラ１と同様であり、同じ部品については同一の符号を付して説明を省略する。
【００３６】
以下に、上記構成のデジタルカメラ２の作用について説明する。デジタルカメラ２によって撮影を行うときには、先ず、レンズユニット３５をカメラボディ１０の前面に設けられたレンズ取り付けベース６０に装着し、レンズユニット３５とカメラボディ１０とを電気的に接続する。これにより、レンズユニット３５とカメラボディ１０との間で電気信号の送受信及び電源の供給が可能となり、デジタルカメラ２は撮影が可能な状態となる。
【００３７】
十字キー１５を押圧操作すると、カメラ本体用システム制御部５０はドライバ６５を介してモータ６３を駆動させてギヤ６２を回転させる。このときカメラ本体用システム制御部５０は十字キー１５の押圧時間に応じてモータ６３の回転量を制御する。ギヤ６２の回転がラックギヤ６４によって直進移動に変換され、レンズ取り付けベース６０がＸ方向に所定量スライド移動する。これにより、レンズユニット３５の位置をＸ方向に調整することができるので、カメラボディ１０を持ち易くすることができる。
【００３８】
なお、上記実施形態において、レンズユニット３５の位置は、Ｘ方向に調整できる場合を例に説明したが、Ｘ方向に限定するものではなく、例えば、カメラボディ１０の上下方向（Ｙ方向）に調整できるようにしても良い。
【００３９】
なお、上記第１及び第２実施形態のデジタルカメラ１、２においては、カメラボディ１０の前面に設けられたレンズ取り付けベース２０、６０がスライドすることによってレンズユニット３５の位置をＸ方向に調整する構造であるが、本発明は、これに限るものではない。以下、本発明の第３実施形態を適用したレンズユニット７０について図面を参照しながら説明する。レンズユニット７０は、図８及び図９に示すように、レンズ側結合部材７１と、撮影レンズ４０及びＣＣＤ４１を内蔵したレンズ鏡胴７２とから構成される。円柱形状をしたレンズ側結合部材７１の背面にレンズ側マウント部３７が設けられ、カメラボディ５の前面にカメラボディ側マウント部２１が設けられることによって、レンズユニット７０はカメラボディ５に着脱自在となっている。
【００４０】
レンズ側結合部材７１の前面には、レンズユニット７０をカメラボディ５に装着した際にカメラボディ５の上下方向（Ｙ方向）となるスライド溝７３が縦断するように形成され、さらに、スライド溝７３と略平行するようにラックギヤ（移動機構）７４も形成されている。レンズ鏡胴７２の背面には、スライド部７５が形成されており、スライド部７５がレンズ側結合部材７１に形成されたスライド溝７３に嵌合することでレンズ鏡胴７２がレンズ側結合部材７１に対してスライド自在に取り付けられている。また、レンズ鏡胴７２の後方にはモータ（駆動手段）７６が設けられ、モータ７６にはラックギヤ７４と噛み合うギヤ７７が取り付けられている。レンズ鏡胴７２は、モータ７６が駆動することでＹ方向にスライド移動するようになっている。なお、レンズユニット７０とカメラボディ５とに関してその他の構成は、デジタルカメラ１、２と同様であり、同じ部品については同一の符号を付して説明を省略する。
【００４１】
レンズユニット７０を装着したカメラボディ５の電気的構成を示すブロック図を図１０に示す。モータ７６は、ドライバ７８に接続されており、ドライバ７８を介してレンズユニット用システム制御部４３によって駆動が制御されている。レンズユニット用システム制御部４３は、十字キー１５の押圧操作によって出力される操作信号を受けたカメラ用システム制御部５０からの指令に基づいてモータ７６の回転駆動を制御している。なお、その他の構成は、デジタルカメラ１と同様であり、同じ部品については同一の符号を付して説明を省略する。
【００４２】
以下に、上記構成のレンズユニット７０を装着したカメラボディ５の作用について説明する。レンズユニット７０を用いて撮影を行うときには、先ず、レンズユニット７０をカメラボディ５に装着し、レンズユニット７０とカメラボディ５とを電気的に接続する。これにより、レンズユニット７０とカメラボディ５との間で電気信号の送受信及び電源の供給が可能となり、撮影が可能な状態となる。
【００４３】
十字キー１５を押圧操作すると、レンズユニット用システム制御部４３はドライバ７８を介してモータ７６を駆動させてギヤ７７を回転させる。このときレンズユニット用システム制御部４３は十字キー１５の押圧時間に応じてモータ７６の回転量を制御する。ギヤ７７の回転がラックギヤ７４によって直進移動に変換され、レンズ鏡胴７２がＹ方向に所定量スライド移動する。これにより、カメラボディ５の構造に変化を及ぼすことなく撮影レンズ４０の位置をＹ方向に調整することができるので、カメラボディ５のデザインに限定されることなくカメラボディ５を持ち易くすることができる。
【００４４】
なお、上記実施形態において、撮影レンズ４０の位置は、Ｙ方向に調整できる場合を例に説明したが、Ｙ方向に限定するものではなく、例えば、カメラボディ５の左右方向（Ｘ方向）に調整できるようにしても良い。
【００４５】
また、上記実施形態において、撮影レンズ４０の位置は、十字キー１５の押圧操作によって調整できる場合を例に説明したが、これに限定するものではなく、マニュアル操作によって撮影レンズ４０の位置が調整できるようにしても良い。
【００４６】
また、上記実施形態において、レンズユニット７０は、カメラボディ５に取り付けた場合を例に説明したが、これに限定するものではなく、第１及び第２実施形態のデジタルカメラ１、２を構成しているカメラボディ１０に取り付けられるようにしても良い。これにより、撮影レンズ４０の位置はＸ方向及びＹ方向に調整することができ、調整方向の自由度が増すので、カメラボディ１０の把持性がさらに向上する。
【００４７】
なお、上記第３実施形態のレンズユニット７０においては、撮影レンズ４０の位置を一方向（Ｙ方向）に調整できる構造であるが、本発明は、これに限るものではない。以下、本発明の第４実施形態を適用したレンズユニット８５について図面を参照しながら説明する。レンズユニット８５は、図１１、図１２及び図１３に示すように、レンズ側結合部材８６と、撮影レンズ４０及びＣＣＤ４１を内蔵したレンズ鏡胴８７とから構成される。円板形状をしたレンズ側結合部材８６の背面にレンズ側マウント部３７が設けられ、カメラボディ５の前面にカメラボディ側マウント部２１が設けられることによって、レンズユニット８５はカメラボディ５に着脱自在となっている。
【００４８】
レンズ側結合部材８６には、レンズユニット８５をカメラボディ５に装着した際にカメラボディ５の上下方向（Ｙ方向）及び左右方向（Ｘ方向）に十字形状となる十字孔（貫通孔）８８が中央に形成され、レンズ鏡胴８７の背面には、中央にネジ孔８９が形成されている。ネジ孔８９が十字孔８８と重なるようにレンズ鏡胴８７の背面をレンズ側結合部材８６の前面に接触させた上で、レンズ側結合部材８６の背面側からネジ９０を十字孔８８に挿通させてネジ孔８９に仮締め（ネジを緩めた状態）すると、レンズ鏡胴８７は、ネジ８９と一体となって十字孔８８に沿ってＸ方向及びＹ方向に二次元的にスライド移動できる。レンズ鏡胴８７の位置を決定した後にネジ９０を本締め（ネジ止め固定した状態）することで、レンズ鏡胴８７の位置を固定することができる。また、レンズ側結合部材８６と、レンズ鏡胴８７の背面とには、それぞれ配線通し孔９１、９２が形成されており、ＣＣＤ４１の電気配線等を通すことができる。なお、その他の構成は、レンズユニット７０と同様であり、同じ部品については同一の符号を付して説明を省略する。
【００４９】
以下に、上記構成のレンズユニット８５及びカメラボディ５の作用について説明する。レンズユニット８５を用いて撮影を行うときには、先ず、十字孔８８とネジ孔８９とが重なるようにレンズ側結合部材８６の前面とレンズ鏡胴８７の背面とを接触させ、ネジ９０をレンズ側結合部材８６の背面側から十字孔８８に挿通させてネジ孔８９に仮締めする。これによりレンズ側結合部材８６とレンズ鏡胴８７とは一体となってレンズユニット８５を形成し、レンズ鏡胴８７は、ネジ９０と一体となって十字孔８９を沿うように、レンズユニット８５をカメラボディ５に装着した際のＸ方向及びＹ方向に二次元的に位置を調整することができる。
【００５０】
レンズユニット８５をカメラボディ５に装着し、レンズユニット８５とカメラボディ５とを電気的に接続する。これにより、レンズユニット８５とカメラボディ５との間で電気信号の送受信及び電源の供給が可能となり、撮影が可能な状態となる。また、カメラボディ５のデザインに限定されることなくカメラボディ５を持ち易くすることができる。
【００５１】
なお、上記実施形態において、レンズ側結合部材８６に十字孔８８が形成され、レンズ鏡胴８７はＸ方向及びＹ方向に位置が調整できる場合を例に説明したが、これに限定するのではなく、例えばレンズ側結合部材８６に長孔が形成され、レンズ鏡胴８７は一次元的に位置が調整できるようにしても良い。
【００５２】
また、上記実施形態において、ネジ９０がネジ孔８９から外れる場合を例に説明したが、ネジ９０はネジ孔８９から外れずに仮締めの位置と本締めの位置との間でのみ動くこととしても良い。
【図面の簡単な説明】
【００５３】
【図１】本発明の第１実施形態であるデジタルカメラの外観斜視図である。
【図２】第１実施形態のデジタルカメラの構成を示す分解斜視図である。
【図３】第１実施形態のデジタルカメラの後方からの断面図である。
【図４】第１実施形態のデジタルカメラの側方からの断面図である。
【図５】第１実施形態のデジタルカメラの電気的構成を示すブロック図である。
【図６】第２実施形態のデジタルカメラの一部破断外観斜視図である。
【図７】第２実施形態のデジタルカメラの電気的構成を示すブロック図である。
【図８】第３実施形態のレンズユニットとカメラボディとの外観斜視図である。
【図９】第３実施形態のレンズユニットの側方からの断面図である。
【図１０】第３実施形態のレンズユニットとカメラボディとの電気的構成を示すブロック図である。
【図１１】第４実施形態のレンズユニットとカメラボディとの外観斜視図である。
【図１２】第４実施形態のレンズユニットの側方からの断面図である。
【図１３】第４実施形態のレンズユニットの構成を示す分解斜視図である。
【符号の説明】
【００５４】
１、２デジタルカメラ
１０  カメラボディ
１１  開口
１１ａ、１１ｂ  スライド面
２０、６０  レンズ取り付けベース
３０  係合部
３０ａ  被係止爪
３５  レンズユニット
３６  レンズ鏡胴
４０  撮影レンズ
６０  レンズ取り付けベース
６１  スライド部
６２  ギヤ
６３  モータ
６４  ラックギヤ
【図１】
2007199631.tif 000003
【図２】
2007199631.tif 000004
【図３】
2007199631.tif 000005
【図４】
2007199631.tif 000006
【図５】
2007199631.tif 000007
【図６】
2007199631.tif 000008
【図７】
2007199631.tif 000009
【図８】
2007199631.tif 000010
【図９】
2007199631.tif 000011
【図１０】
2007199631.tif 000012
【図１１】
2007199631.tif 000013
【図１２】
2007199631.tif 000014
【図１３】
2007199631.tif 000015